(57)【要約】【課題】  観察中であっても対物ユニットの交換を容易にすることができる生体観察装置を提供する。【解決手段】  本体９と、被観察物Ａにおける観察領域の振動を抑制する振動抑制部７と、振動が抑制された観察領域を観察する対物光学系５とを備え、対物光学系５および振動抑制部７は、本体９に備えられ、対物光学系５は、本体９に対して対物光学系５の光軸方向と交差する方向に着脱可能とされていることを特徴とする。【選択図】  図１
2008052138.tif 000002
【特許請求の範囲】
【請求項１】
本体と、
被観察物における観察領域の振動を抑制する振動抑制部と、
前記振動が抑制された観察領域を観察する対物光学系と、
を備え、
前記対物光学系および前記振動抑制部は、前記本体に備えられ、
前記対物光学系は、前記本体に対して前記対物光学系の光軸方向と交差する方向に着脱可能とされている生体観察装置。
【請求項２】
前記対物光学系は前記振動抑制部を介して前記本体に備えられ、
前記対物光学系は、前記本体および前記振動抑制部に対して前記光軸方向と交差する方向に着脱可能とされ、
前記振動抑制部は前記本体に対して着脱可能とされている請求項１記載の生体観察装置。
【請求項３】
前記振動抑制部は、前記本体に対して前記光軸方向と交差する方向に着脱可能とされている請求項２記載の生体観察装置。
【請求項４】
前記振動抑制部には、
接触することにより前記観察領域の振動を抑制する押圧部と、
該押圧部を前記光軸方向に移動可能に支持する移動部と、
が設けられている請求項１から３のいずれかに記載の生体観察装置。
【請求項５】
前記移動部には、前記押圧部が着脱可能に取り付けられている請求項４記載の生体観察装置。
【請求項６】
前記押圧部は、前記移動部に対して前記光軸方向と交差する方向に着脱可能とされている請求項５記載の生体観察装置。
【請求項７】
前記本体を支持するための支柱を備え、
前記本体と前記支柱との間に前記移動部を配置する請求項４から６のいずれかに記載の生体観察装置。
【発明の詳細な説明】
【技術分野】
【０００１】
本発明は、生体観察装置、特に動的挙動を観察するためのスタビライザを備えた生体観察装置に関する。
【背景技術】
【０００２】
近年、光学顕微鏡を用いて蛍光プローブによるイオン濃度、膜電位などの可視化が行われるようになっており、例えば標本として神経細胞や臓器等の生体機能観察、特に、動的挙動の観察が行われるようになっている。
このような動的挙動を観察する生体鏡観察システム（生体観察装置）としては、顕微鏡対物ユニットの外面を構成する円筒面にスタビライザを嵌合固定する構成が開示されている（例えば、特許文献１参照。）。
【特許文献１】特開２００５−３３８６３１号公報
【発明の開示】
【発明が解決しようとする課題】
【０００３】
しかしながら、上述の生体鏡観察システムでは、観察中に対物ユニットを交換できないという問題があった。つまり、観察中に対物ユニットを交換する場合、対物ユニットの円筒面にスタビライザが固定さているため、観察部位の振動をスタビライザで抑制した状態のままで対物ユニットのみを交換することができないという問題があった。
【０００４】
また、対物ユニットの交換作業が煩雑になるという問題があった。つまり、対物ユニットにスタビライザが固定さているため、対物ユニットを交換する毎に、対物ユニットに固定されたスタビライザも交換する必要があった。すると、新しい対物ユニットとスタビライザとの焦点合わせ等の調整が必要となるため、交換作業が煩雑になるという問題があった。
【０００５】
本発明は、上記の課題を解決するためになされたものであって、観察中であっても対物ユニットの交換を容易にすることができる生体観察装置を提供することを目的とする。
【課題を解決するための手段】
【０００６】
上記目的を達成するために、本発明は、以下の手段を提供する。
本発明は、本体と、被観察物における観察領域の振動を抑制する振動抑制部と、前記振動が抑制された観察領域を観察する対物光学系と、を備え、前記対物光学系および前記振動抑制部は、前記本体に備えられ、前記対物光学系は、前記本体に対して前記対物光学系の光軸方向と交差する方向に着脱可能とされている生体観察装置を提供する。
【０００７】
本発明によれば、対物光学系は本体に対して上記光軸方向と交差する方向に着脱可能に備えられているため、観察中であっても対物光学系の交換を容易にすることができる。対物光学系を上記光軸方向と交差する方向に移動させることにより、本体と被観察体との距離を一定に保った状態で、対物光学系の着脱を行うことができる。本体と被観察体との距離が一定に保たれるため、振動抑制部は対物光学系を着脱させても被観察体の観察領域の振動を抑制し続けることができる。言い換えると、被観察体の観察領域の振動を振動抑制部により抑制している観察中であっても、対物光学系を本体に対して着脱させることができる。
【０００８】
上記発明においては、前記対物光学系は前記振動抑制部を介して前記本体に備えられ、前記対物光学系は、前記本体および前記振動抑制部に対して前記光軸方向と交差する方向に着脱可能とされ、前記振動抑制部は前記本体に対して着脱可能とされていることが望ましい。
【０００９】
本発明によれば、振動抑制部は、本体に直接取り付けられているため、対物光学系を本体から取り外しても被観察物の観察領域の振動を抑制し続けることができる。また、振動抑制部を本体に対して着脱することにより、対物光学系および振動抑制部を本体に対して同時に着脱することができる。そのため、対物光学系および振動抑制部を本体から取り外した状態で、対物光学系および振動抑制部の相対位置を調整することができる。また、調整された相対位置を保った状態で、対物光学系および振動抑制部を本体に取り付けることができる。
【００１０】
上記発明においては、前記振動抑制部は、前記本体に対して前記光軸方向と交差する方向に着脱可能とされていることが望ましい。
本発明によれば、本体を光軸方向に待避させることなく振動抑制部を本体から容易に取り外すことができる。
【００１１】
上記発明においては、前記振動抑制部には、接触することにより前記観察領域の振動を抑制する押圧部と、該押圧部を前記光軸方向に移動可能に支持する移動部と、が設けられていることが望ましい。
【００１２】
本発明によれば、振動抑制部に設けられた移動部の作動により、押圧部により振動が抑制された被観察物に上記対物光学系の焦点を容易に合わせることができる。また、ワーキングディスタンス（以降、ＷＤと表記する。）を容易に変更することができる。
被観察物の観察領域は、押圧部と接触することにより振動が抑制される。対物光学系の焦点は、移動部により上記振動が抑制された観察領域に合わせられる。言い換えると、上記振動が抑制された観察領域は、押圧部と被観察物との接触面に常に位置することとなり、移動部により上記焦点が上記接触面に合うように、対物光学系と押圧部との相対位置を調整することで、上記観察領域に上記焦点を容易に合わせることができる。
【００１３】
上記発明においては、前記移動部には、前記押圧部が着脱可能に取り付けられていることが望ましい。
本発明によれば、移動部から押圧部のみを取り外すことにより、押圧部を容易に交換することができる。
【００１４】
上記発明においては、前記押圧部は、前記移動部に対して前記光軸方向と交差する方向に着脱可能とされていることが望ましい。
本発明によれば、押圧部は、移動部に対して光軸方向と交差する方向に着脱可能に取り付けられているため、容易に交換することができる。また、本体と被観察体との距離を一定に保った状態で、押圧部の交換を行うことができる。
【００１５】
上記発明においては、前記本体を支持するための支柱を備え、前記本体と前記支柱との間に前記移動部を配置することが望ましい。
本発明によれば、本体を挟んで支柱とは反対側の空間を広くすることができるため、観察者は移動部に邪魔されることなく、その広い空間で生体観察装置を操作でき、被観察物の観察を容易に行うことができる。
【発明の効果】
【００１６】
本発明の生体観察装置によれば、対物光学系および振動抑制部が本体に備えられ、対物光学系は本体に対して上記光軸方向と交差する方向に着脱可能とされているため、観察中であっても対物光学系の交換を容易にすることができるという効果を奏する。
【発明を実施するための最良の形態】
【００１７】
〔第１の実施形態〕
以下、本発明の第１の実施形態について図１から図５を参照して説明する。
図１は、本実施形態の生体鏡観察システムの全体構成を説明する概略図である。
本実施形態に係る生体鏡観察システム（生体観察装置）１は、実験小動物等を始めとする哺乳類の細胞、筋肉等の生体組織、あるいは、心臓、肝臓等の各種臓器等の試料（被観察物）Ａを観察するものである。
【００１８】
生体鏡観察システム１は、図１に示されるように、試料Ａを載置するステージ３と、ステージ３上の試料Ａに対向配置させられる対物ユニット（対物光学系）５と、ステージ３上の試料Ａの表面の動的挙動を抑制するスタビライザ部（振動抑制部）７と、対物ユニット５およびスタビライザ部７が配置された顕微鏡本体（本体）９と、を備えている。
【００１９】
ステージ３には、ステージ３を水平２方向、例えば、Ｘ，Ｙ方向に移動させる調整ダイヤル１１が備えられている。該調整ダイヤル１１を操作することにより、ステージ３上の試料を、水平２方向、例えばＸ，Ｙ方向に移動させることができるようになっている。
【００２０】
顕微鏡本体９は、ベース１３から鉛直方向に延びる支柱（支持部）１５に昇降機構１７を介して上下移動可能に取り付けられている。顕微鏡本体９には、対物ユニット５およびスタビライザ部７が配置されている。
【００２１】
対物ユニット５は顕微鏡本体９から鉛直下方に向けて配置され、ステージ３の上、つまり対物ユニット５とステージ３の間には試料Ａが配置されている。対物ユニット５により、対向配置された試料Ａを観察することができる。対物ユニット５は、対物レンズ系１９と、対物アリ継部２１とから構成されている。
対物レンズ系１９は試料Ａを観察するものである。対物レンズ系１９は、後述する対物雄アリ２７に取り付けられている。
【００２２】
図２は、図１の対物ユニットおよびスタビライザ部の構成を説明する図である。
対物アリ継部２１は、図２に示すように、対物雌アリ２３と、対物止めネジ２５と、対物雄アリ２７とから構成されている。
【００２３】
対物雌アリ２３は、対物雄アリ２７とともにアリ継を構成するものである。対物雌アリ２３は、対物止めネジ２５により本体プレート５９に固定されている。
対物止めネジ２５は、対物雌アリ２３を本体プレート５９に固定するものである。対物止めネジ２５は、本体プレート５９に形成された雌ネジ（例えば、ＪＩＳ  Ｂ７１４１  顕微鏡−対物ネジ（図示せず））と螺合されるものである。
【００２４】
対物雄アリ２７は対物雌アリ２３とともにアリ継を構成するものであって、対物雄アリ２７が対物レンズ系１９の光軸方向に対して交差する方向、より好ましくは略直交する方向に移動可能とされるアリ継を構成するものである。対物雄アリ２７には、対物レンズ系１９が螺合される雌ネジ（ＪＩＳ  Ｂ７１４１  顕微鏡−対物ネジ（図示せず））が形成されており、対物レンズ系１９が取り付けられている。
【００２５】
また、昇降機構１７により顕微鏡本体９を昇降させることにより、対物ユニット５およびスタビライザ部７を試料Ａに対して接近・離間させることができる。つまり、対物ユニット５を試料Ａに対して接近・離間させて、ピントを調節することができる。
【００２６】
スタビライザ部７は、図２に示すように、スタビライザ本体３１と、スタビライザ移動機構（移動部）３３とを備えている。スタビライザ本体３１は、スタビライザ移動機構３３を介して顕微鏡本体９に取り付けられている。スタビライザ本体３１は、取り付け部３５、アーム３７および先端部（押圧部）３９を備えている。
【００２７】
取り付け部３５は、スタビライザ移動機構３３に取り付けられる部分である。先端部３９は、試料Ａの表面を押圧して当該表面の動的挙動を抑制するものである。先端部３９は、対物レンズ系１９の光軸方向に対して交差する方向、より好ましくは略垂直方向に延びる部材である。先端部３９には、動的挙動を抑制された試料Ａの表面を観察するための開口部４１が設けられている（図４参照）。先端部３９の試料Ａと接触する面には、開口部４１を覆うカバーガラス４３が備えられている。アーム３７は、取り付け部３５と先端部３９とをつなぐものである。
【００２８】
スタビライザ部７は小動物の試料を観察する際に、スタビライザ部７の先端部３９で試料Ａを押圧することにより、試料Ａの表面の動的挙動を抑制することができる。そのため、生体鏡観察システム１は、ブレのない試料Ａの表面の観察画像を得ることができる。
【００２９】
スタビライザ移動機構３３は、図１に示すように、スタビライザ本体３１を対物レンズ系１９に対して対物レンズ系１９の光軸方向に移動可能に支持するものである。スタビライザ移動機構３３は、顕微鏡本体９と支柱１５との間に配置されている。スタビライザ移動機構３３は、図２に示すように、本体アリ継部４５と、Ｚステージ４７と、移動機構プレート４９と、スタビライザアリ継部５１とを備えている。
【００３０】
本体アリ継部４５は、スタビライザ部７および対物レンズ系１９を顕微鏡本体９に対して着脱可能に支持するものである。本体アリ継部４５は、本体雌アリ５３と、本体止めネジ５５と、本体雄アリ５７と、本体プレート５９とを備えている。
【００３１】
本体雌アリ５３は、本体雄アリ５７とともにアリ継を構成するものである。本体雌アリ５３は、本体止めネジ５５により顕微鏡本体９に固定されている。
本体止めネジ５５は、本体雌アリ５３を顕微鏡本体９に固定するものである。本体止めネジ５５は、顕微鏡本体９に形成された雌ネジ（例えば、ＪＩＳ  Ｂ７１４１  顕微鏡−対物ネジ（図示せず））と螺合されるものである。
【００３２】
本体雄アリ５７は本体雌アリ５３とともにアリ継を構成するものであって、本体雄アリ５７が対物レンズ系１９の光軸方向に対して交差する方向、より好ましくは略直交する方向に移動可能とされるアリ継を構成するものである。本体雄アリ５７は、ネジを用いて本体プレート５９に固定されている。
【００３３】
本体プレート５９は、対物雌アリ２３と、本体雄アリ５７と、Ｚステージ４７とを保持するものである。本体プレート５９の顕微鏡本体９側の面には本体雄アリ５７が固定され、対物ユニット５側の面には対物雌アリ２３が固定されている。また、本体プレート５９の側面にはＺステージ４７が固定されている。言い換えると、対物ユニット５の光軸方向に対して直交する面のうち、上側の面には本体雄アリ５７が固定され、下側の面には対物雌アリ２３が固定されている。また、上記光軸方向に対して平行な側面には、上記光軸線に対して略垂直な方向からＺステージ４７が固定されている。
【００３４】
Ｚステージ４７は、スタビライザ部７を対物レンズ系１９に対して対物レンズ系１９の光軸方向に移動可能とするものである。Ｚステージ４７は、固定プレート６１と、マイクロヘッド６３と、可動プレート６５とから構成されている。
【００３５】
固定プレート６１は本体プレート５９に固定されるとともに、可動プレート６５に対して相対移動可能に支持されているものである。固定プレート６１と可動プレート６５との間には、固定プレート６１および可動プレート６５を相対移動可能に支持するクロスローラガイド（図示せず）とマイクロヘッド６３とが配置されている。
マイクロヘッド６３は、ツマミを回転することにより、固定プレート６１および可動プレート６５を相対移動させるものである。マイクロヘッド６３は、固定プレート６１に固定されている。
【００３６】
可動プレート６５には、移動機構プレート４９が固定されているとともに、固定プレート６１に対し相対移動可能に支持されているものである。
移動機構プレート４９は、可動プレート６５とスタビライザアリ継部５１とを接続するものである。
【００３７】
スタビライザアリ継部５１は、スタビライザ本体３１をスタビライザ移動機構３３に対して着脱可能に支持するものである。スタビライザアリ継部５１は、スタビライザ雌アリ６７と、スタビライザ雄アリ６９とから構成されている。
スタビライザ雌アリ６７は、スタビライザ雄アリ６９とともにアリ継を構成するものである。スタビライザ雌アリ６７は、ネジにより移動機構プレート４９に固定されている。
【００３８】
スタビライザ雄アリ６９は、スタビライザ雌アリ６７とともにアリ継を構成するものであって、スタビライザ雄アリ６９が対物レンズ系１９の光軸方向に対して交差する方向、より好ましくは略直交する方向に移動可能とされるアリ継を構成するものである。スタビライザ雄アリ６９は、ネジを用いてスタビライザ本体３１に固定されている。
【００３９】
このように構成された本実施形態に係る生体鏡観察システム１の作用について以下に説明する。
まず、本実施形態に係る生体鏡観察システム１の準備作業を説明する。
【００４０】
最初に、顕微鏡本体９から取り外されているスタビライザ移動機構３３に、所望の観察倍率の対物レンズ系１９が取り付けられる。具体的には、スタビライザ移動機構３３の本体プレート５９に固定されている対物雌アリ２３に、対物レンズ系１９が固定された対物雄アリ２７が嵌められる。
【００４１】
図３は、図１の対物ユニットおよびスタビライザ部の焦点合わせ方法を説明する図である。
対物ユニット５およびスタビライザ移動機構３３は、図３に示すように、例えば倒立型顕微鏡５００に取り付けられ、対物ユニット５およびスタビライザ移動機構３３の焦点合わせが行われる。
【００４２】
先端部３９のカバーガラス４３の上には、例えば十字マークが設けられた指標板７１が乗せられる。そして、マイクロヘッド６３のツマミを回転操作することにより、スタビライザ本体３１を対物レンズ系１９の光軸方向に沿って移動させる。先端部３９のカバーガラス４３と対物レンズ系１９との相対位置関係は、カバーガラス４３における指標板７１すなわち試料Ａとの接触面に対物レンズ系１９のピント（焦点）が合うように調整される。
【００４３】
図４は、図１の生体鏡観察システムによる観察方法を説明する斜視図である。
次に、ステージ３に実験小動物を配置し、図４に示すように、実験小動物の外皮Ｃを切開して臓器等の試料Ａを露出させる。そして、ピント調整が完了した対物ユニット５およびスタビライザ移動機構３３を、図１に示すように顕微鏡本体９に取りつける。具体的には、顕微鏡本体９に固定された本体雌アリ５３に、スタビライザ移動機構３３に固定された本体雄アリ５７が嵌められる。スタビライザ移動機構３３は、顕微鏡本体９の光軸方向に対して略垂直な方向に移動しながら、顕微鏡本体９に取り付けられる。そのため、実験小動物をステージ３に配置した状態であっても、対物ユニット５およびスタビライザ移動機構３３を顕微鏡本体９に容易に取り付けることができる。
【００４４】
対物ユニット５などを顕微鏡本体９に取り付けた後は、図１に示すように、昇降機構１７を操作することにより顕微鏡本体９を実験小動物に近づける。顕微鏡本体９とともに実験小動物に近づいたスタビライザ本体３１の先端部３９は、図４に示すように試料Ａに押し付けられる。先端部３９は、試料Ａを押圧することにより試料Ａの表面の動的挙動を抑制する。
【００４５】
対物レンズ系１９のピントは、試料Ａと接触するカバーガラス４３の面に予め合わされているため、先端部３９を試料Ａに押圧することで、試料Ａの動的挙動が抑えられると同時にピントのあった観察画像を得ることができる。
【００４６】
なお、図１に示すように、調整ダイヤル１１を操作してステージ３をＸ、Ｙ方向に移動させることにより、試料ＡをＸ、Ｙ方向に移動調節して目的の観察範囲を対物レンズ系１９に合わせこむ操作も行う。
【００４７】
上述の実施形態において先端部３９を板状の押し当て面にカバーガラス４３を取りつけた構成に適用して説明したが、先端部３９の構成としては、カバーガラス４３の有無、先端部３９の形状、また押し付けのみによる振動抑制だけではなく、先端部３９に吸引孔を設け吸引ポンプ等で吸引することにより振動を抑制するといった種々の構成が考えられるのはいうまでもない。
【００４８】
上記の構成によれば、対物レンズ系１９はスタビライザ部７に対して光軸方向と交差する方向に着脱可能とされているため、観察中であっても対物レンズ系１９の交換を容易にすることができる。
対物レンズ系１９を上記光軸方向と交差する方向に移動させることにより、顕微鏡本体９と試料Ａとの距離が一定に保った状態で、対物レンズ系１９は顕微鏡本体９およびスタビライザ部７に対して着脱を行うことができる。顕微鏡本体９と試料Ａとの距離が一定に保たれるため、スタビライザ部７は対物レンズ系１９を着脱させても試料Ａの観察領域の振動を抑制し続けることができる。言い換えると、試料Ａの観察領域の振動をスタビライザ部７により抑制している観察中であっても、対物レンズ系１９を顕微鏡本体９およびスタビライザ部７に対して着脱させることができる。
【００４９】
スタビライザ部７は、顕微鏡本体９に対して上記光軸方向と交差する方向に着脱可能とされているため、顕微鏡本体９から容易に取り外すことができる。
スタビライザ部７は、顕微鏡本体９に対して上記光軸方向と交差する方向に着脱可能とされているため、スタビライザ本体３１を顕微鏡本体９から着脱することにより、対物ユニット５およびスタビライザ本体３１を顕微鏡本体９から同時に着脱することができる。そのため、対物ユニット５およびスタビライザ本体３１を顕微鏡本体９から取り外した状態で、対物レンズ系１９および先端部３９の相対位置を調整することができる。また、調整された相対位置を保った状態で、対物ユニット５およびスタビライザ本体３１を顕微鏡本体９に取り付けることができる。
【００５０】
スタビライザ移動機構３３が設けられているため、先端部３９により振動が抑制された試料Ａに上記対物レンズ系１９の焦点を容易に合わせることができる。また、ＷＤも容易に変更できる。
試料Ａの観察領域は、先端部３９と接触することにより振動が抑制される。対物レンズ系１９の焦点は、スタビライザ移動機構３３により振動が抑制された観察領域に合わせられる。言い換えると、上記振動が抑制された観察領域は、先端部３９と試料Ａとの接触面に常に位置することとなり、スタビライザ移動機構３３により上記焦点が上記接触面に合うように、対物レンズ系１９と先端部３９との相対位置を調整することで、上記観察領域に上記焦点を容易に合わせることができる。
【００５１】
顕微鏡本体９には、スタビライザ移動機構３３が着脱可能に取り付けられ、スタビライザ移動機構３３には先端部３９が着脱可能に取り付けられているため、スタビライザ移動機構３３を容易に交換することができる。また、スタビライザ移動機構３３から先端部３９のみを取り外すことにより、先端部３９を容易に交換することができる。
【００５２】
先端部３９は、スタビライザ移動機構３３に対して光軸方向と交差する方向に着脱可能に取り付けられているため、容易に交換することができる。
また、先端部３９を上記光軸方向と交差する方向に移動させることにより、先端部３９はスタビライザ移動機構３３に対して着脱できるため、顕微鏡本体９と試料Ａとの距離を一定に保った状態で、先端部３９の交換を容易に行うことができる。
【００５３】
スタビライザ移動機構３３は、顕微鏡本体９と支柱１５との間に配置されているため、試料Ａの観察を容易にすることができる。
スタビライザ移動機構３３は顕微鏡本体９の支柱１５との間に配置されているため、顕微鏡本体９を挟んで支柱１５の反対側の空間を広くすることができる。そのため、観察者はスタビライザ移動機構３３に邪魔されることなく、その広い空間において生体鏡観察システム１を操作でき、試料Ａの観察を容易にすることができる。
【００５４】
図５は、図１の生体鏡観察システムにおける対物レンズ系の他の実施例を説明する図である。
なお、上述の実施形態のように、対物レンズ系として図１に示すような対物レンズ系１９を用いてもよいし、図５に示すように、より径の細い対物レンズ系１９Ａ（いわゆるスティック対物レンズ）を用いてもよく、特に限定するものではない。例えば、ＷＤが短い対物レンズ系１９Ａを用いる場合には、スタビライザ本体３１の先端部３９には、切り欠き状の開口部４１Ａが形成されることが望ましい。この切り欠き状の開口部４１Ａにより対物レンズ系１９Ａの先端が、先端部３９に干渉することなく対物レンズ系１９Ａを取り外すことができる。
【００５５】
また、上述の実施形態のように、スタビライザ移動機構３３は、顕微鏡本体９と支柱１５との間に配置されていてもよいし、それ以外の位置に配置されていてもよく、特に限定するものではない。
【００５６】
〔第２の実施形態〕
次に、本発明の第２の実施形態について図６および図７を参照して説明する。
本実施形態の生体鏡観察システムの基本構成は、第１の実施形態と同様であるが、第１の実施形態とは、顕微鏡本体とスタビライザ移動機構との固定構造が異なっている。よって、本実施形態においては、図６および図７を用いて顕微鏡本体とスタビライザ移動機構との固定構造周辺のみを説明し、その他の構成要素等の説明を省略する。
図６は、本実施形態に係る生体鏡観察システムの全体構成を説明する概略図である。
なお、第１の実施形態と同一の構成要素については、同一の符号を付してその説明を省略する。
【００５７】
生体鏡観察システム（生体観察装置）１０１は、図６に示されるように、試料Ａを載置するステージ３と、ステージ３上の試料Ａに対向配置させられる対物ユニット５と、ステージ３上の試料Ａの表面の動的挙動を抑制するスタビライザ部（振動抑制部）１０７と、対物ユニット５およびスタビライザ部１０７が配置された顕微鏡本体９と、を備えている。
【００５８】
図７は、図６の対物ユニットおよびスタビライザ部の構成を説明する図である。
スタビライザ部１０７は、図７に示すように、スタビライザ本体３１と、スタビライザ移動機構（移動部）１３３とを備えている。スタビライザ本体３１は、スタビライザ移動機構１３３を介して顕微鏡本体９に取り付けられている。スタビライザ本体３１は、取り付け部３５、アーム３７および先端部３９を備えている。
【００５９】
スタビライザ移動機構１３３は、図７に示すように、スタビライザ本体３１を対物レンズ系１９に対して対物レンズ系１９の光軸方向に移動可能に支持するものである。スタビライザ移動機構１３３は、顕微鏡本体９と支柱１５との間に配置されている。スタビライザ移動機構１３３は、図７に示すように、Ｚステージ４７と、移動機構プレート４９と、スタビライザアリ継部５１と、本体プレート１５９とを備えている。
【００６０】
本体プレート１５９は、対物雌アリ２３と、Ｚステージ４７とを保持するものである。本体プレート１５９の顕微鏡本体９側の面には顕微鏡本体９がネジなどにより固定され、対物ユニット５側の面には対物止めネジ２５により、対物雌アリ２３が固定されている。また、本体プレート１５９の側面にはＺステージ４７が固定されている。言い換えると、対物ユニット５の光軸方向に対して直交する面のうち、上側の面には顕微鏡本体９が固定され、下側の面には対物雌アリ２３が固定されている。また、上記光軸方向に対して平行な側面には、上記光軸線に対して略垂直な方向からＺステージ４７が固定されている。
【００６１】
このように構成された本実施形態に係る生体鏡観察システム１０１の作用について以下に説明する。
最初に、図７に示すように、顕微鏡本体９に取り付けられているスタビライザ移動機構１３３に、所望の観察倍率の対物レンズ系１９が取り付けられる。具体的には、スタビライザ移動機構１３３の本体プレート１５９に固定されている対物雌アリ２３に、対物レンズ系１９が固定された対物雄アリ２７が嵌められる。その後、第１の実施形態と同様に対物ユニット５およびスタビライザ移動機構１３３の焦点合わせが行われる。
【００６２】
次に、ステージ３に実験小動物を配置し、実験小動物の外皮Ｃを切開して臓器等の試料Ａを露出させる（図４参照。）。そして、昇降機構１７を操作することにより顕微鏡本体９を実験小動物に近づける。顕微鏡本体９とともに実験小動物に近づいたスタビライザ本体３１の先端部３９は試料Ａに押し付けられる（図４参照。）。先端部３９は、試料Ａを押圧することにより試料Ａの表面の動的挙動を抑制する。
【００６３】
上記の構成によれば、対物ユニット５はスタビライザ部１０７に対して光軸方向と交差する方向に着脱可能とされているため、観察中であっても対物ユニット５の交換を容易にすることができる。対物ユニット５を上記光軸方向と交差する方向に移動させることにより、顕微鏡本体９と試料Ａとの距離が一定に保った状態で、対物ユニット５の着脱を行うことができる。顕微鏡本体９と試料Ａとの距離が一定に保たれるため、スタビライザ部１０７は対物ユニット５を着脱させても試料Ａの観察領域の振動を抑制し続けることができる。言い換えると、試料Ａの観察領域の振動をスタビライザ部１０７により抑制している観察中であっても、対物ユニット５を顕微鏡本体９およびスタビライザ部１０７に対して着脱させることができる。
【００６４】
〔第３の実施形態〕
次に、本発明の第３の実施形態について図８および図９を参照して説明する。
本実施形態の生体鏡観察システムの基本構成は、第１の実施形態と同様であるが、第１の実施形態とは、顕微鏡本体とスタビライザ移動機構との固定構造が異なっている。よって、本実施形態においては、図８および図９を用いて顕微鏡本体とスタビライザ移動機構との固定構造周辺のみを説明し、その他の構成要素等の説明を省略する。
図８は、本実施形態に係る生体鏡観察システムの全体構成を説明する概略図である。
なお、第１の実施形態と同一の構成要素については、同一の符号を付してその説明を省略する。
【００６５】
生体鏡観察システム（生体観察装置）２０１は、図８に示されるように、試料Ａを載置するステージ３と、ステージ３上の試料Ａに対向配置させられる対物ユニット５と、ステージ３上の試料Ａの表面の動的挙動を抑制するスタビライザ部（振動抑制部）２０７と、対物ユニット５およびスタビライザ部２０７が配置された顕微鏡本体９と、を備えている。
【００６６】
図９は、図８の対物ユニットおよびスタビライザ部の構成を説明する図である。
スタビライザ部２０７は、図９に示すように、スタビライザ本体３１と、スタビライザ移動機構（移動部）２３３とを備えている。スタビライザ本体３１は、スタビライザ移動機構１３３を介して顕微鏡本体９に取り付けられている。スタビライザ本体３１は、取り付け部３５、アーム３７および先端部３９を備えている。
【００６７】
スタビライザ移動機構２３３は、図８に示すように、スタビライザ本体３１を対物レンズ系１９に対して対物レンズ系１９の光軸方向に移動可能に支持するものである。スタビライザ移動機構２３３は、顕微鏡本体９と支柱１５との間に配置されている。スタビライザ移動機構２３３は、図９に示すように、Ｚステージ２４７と、移動機構プレート４９と、スタビライザアリ継部５１とを備えている。
【００６８】
Ｚステージ２４７は、スタビライザ部７を対物レンズ系１９に対して対物レンズ系１９の光軸方向に移動可能とするものである。Ｚステージ２４７は、固定プレート２６１と、マイクロヘッド６３と、可動プレート６５とから構成されている。
【００６９】
固定プレート２６１は顕微鏡本体９にネジなどにより固定されるとともに、可動プレート６５に対して相対移動可能に支持されているものである。固定プレート２６１と可動プレート６５との間には、固定プレート２６１および可動プレート６５を相対移動可能に支持するクロスローラガイド（図示せず）とマイクロヘッド６３とが配置されている。
【００７０】
このように構成された本実施形態に係る生体鏡観察システム２０１の作用について以下に説明する。
生体鏡観察システム２０１の作用は、第２の実施形態と同様であるので、その説明を省略する。
【００７１】
上記の構成によれば、対物ユニット５は顕微鏡本体９に対して上記光軸方向と交差する方向に着脱可能とされているため、観察中であっても対物ユニット５の交換を容易にすることができる。対物ユニット５を上記光軸方向と交差する方向に移動させることにより、顕微鏡本体９と試料Ａとの距離を一定に保った状態で、対物ユニット５の着脱を行うことができる。顕微鏡本体９と試料Ａとの距離が一定に保たれるため、スタビライザ部２０７は対物ユニット５を着脱させても試料Ａの観察領域の振動を抑制し続けることができる。言い換えると、試料Ａの観察領域の振動をスタビライザ部２０７により抑制している観察中であっても、対物ユニット５を顕微鏡本体９に対して着脱させることができる。
【図面の簡単な説明】
【００７２】
【図１】本発明の第１の実施形態に係る生体鏡観察システムの全体構成を説明する概略図である。
【図２】図１の対物ユニットおよびスタビライザ部の構成を説明する図である。
【図３】図１の対物ユニットおよびスタビライザ部の焦点合わせ方法を説明する図である。
【図４】図１の生体鏡観察システムによる観察方法を説明する斜視図である。
【図５】図１の生体鏡観察システムにおける対物レンズ系の他の実施例を説明する図である。
【図６】本発明の第２の実施形態に係る生体鏡観察システムの全体構成を説明する概略図である。
【図７】図６の対物ユニットおよびスタビライザ部の構成を説明する図である。
【図８】本発明の第３の実施形態に係る生体鏡観察システムの全体構成を説明する概略図である。
【図９】図８の対物ユニットおよびスタビライザ部の構成を説明する図である。
【符号の説明】
【００７３】
１，１０１，２０１  生体鏡観察システム（生体観察装置）
５  対物ユニット（対物光学系）
７，１０７  スタビライザ部（振動抑制部）
９  顕微鏡本体（本体）
１５  支柱（支持部）
３３，１３３，２３３  スタビライザ移動機構（移動部）
３９  先端部（押圧部）
Ａ  試料（被観察物）
【図１】
2008052138.tif 000003
【図２】
2008052138.tif 000004
【図３】
2008052138.tif 000005
【図４】
2008052138.tif 000006
【図５】
2008052138.tif 000007
【図６】
2008052138.tif 000008
【図７】
2008052138.tif 000009
【図８】
2008052138.tif 000010
【図９】
2008052138.tif 000011